(57)【特許請求の範囲】
【請求項１】
室外或は室内と小屋裏との間に両側が起立面によって囲まれた換気通路を形成した換気構造に於いて、前記換気通路の下部を室外或は室内側に開放すると共にその天井部に換気穴を設け、かつ前記起立面の所定位置に、入口開口部が狭く、それに続く奥部が広くなるように形成されたコ字状の嵌合凹所を設け、さらに前記換気通路内に風雨が侵入した際に該換気通路を閉鎖し得る開閉弁を、該開閉弁の底部が広くなるように形成された嵌入部を前記嵌合凹所の奥部に嵌入させ、着脱自在に装着して構成し、
前記起立面の前記嵌合凹所の下方所定位置にくぼみを設け、前記嵌合凹所内に装着された前記開閉弁の作動部の先端部が前記くぼみの入口開口部の上方に位置し、前記換気通路に侵入した風が前記くぼみを通過して前記開閉弁の作動部に当たって該作動部を回動させて該作動部が前記換気通路の天井部に設けられた換気穴を閉鎖することを特徴とした小屋裏の換気構造。
【請求項２】
前記開閉弁が装着された前記起立面とは他方の前記起立面に嵌合凹所を設け、該嵌合凹所内に不燃性体積膨張材を装着したことを特徴とした請求項１に記載の小屋裏の換気構造。
【発明の詳細な説明】
【技術分野】
【０００１】
本発明は小屋裏の換気構造に係り、特に火災時に室外或は室内と小屋裏との間に形成される換気通路を閉鎖して延焼を防止したり、或は強風時に該換気通路を塞いで風雨が小屋裏内に侵入することを防止可能とした簡単にかつ安価に構成出来る小屋裏の換気構造に関するものである。
【背景技術】
【０００２】
室外或は室内と小屋裏との間に換気通路を設けると共に火災時に火炎等が該換気通路に侵入することを防止し得る公知技術としては、例えば特開平６−７３８２８号公報（第１公知技術）、或は特開平１０−３２５１９１号公報（第２公知技術）等に示す如く、多くの技術が知られている。また、本件特許出願人は構成が簡単で組立及び取付が容易でかつ意匠性に優れた防火換気装置を開発して特許出願している（特願２０００−３８６５９４号）。
【０００３】
また、強風時等に風雨が小屋裏に侵入することを防止する技術としては、特開平８−２６０６１１号公報（第３公知技術）、特開平８−３１２０１７号公報（第４公知技術）或は実公平３−２９５１６号公報（第５公知技術）等が知られている。
【０００４】
【特許文献１】特開平６−７３８２８号公報
【特許文献２】特開平１０−３２５１９１号公報
【特許文献３】特開平８−２６０６１１号公報
【特許文献４】特開平８−３１２０１７号公報
【特許文献５】実公平３−２９５１６号公報
【発明の開示】
【発明が解決しようとする課題】
【０００５】
然るに、前述の第１公知技術、第２公知技術の技術は、換気構造の構成が全体的に複雑であって、かつ、換気通路内で火災時に発泡する不燃性体積膨張材が一般的に、両面テープ、接着剤或はホチキス等で固定されるので、コスト高になる問題があった。また、換気通路内で火災時に発泡する不燃性体積膨張材が一般的に、両面テープ、接着剤或はホチキス等で固定されるので、建物施工後に不燃性体積膨張材が劣化した場合にも、簡単な手段で交換することが困難である問題があった。
【０００６】
前記本件特許出願人等が開発した出願中の発明に於いては、全体の構成、コスト面及び意匠性において極めて優れているが、この発明の場合にも、不燃性体積膨張材が劣化した場合には簡単な手段で交換することが困難である問題があった。
【０００７】
さらに、前述の第１公知技術及び第２公知技術、或は前述の本件特許出願人が開発した発明に於いては、換気通路が常時開放した状態になっているので、台風等の強風時に小屋裏に雨水が侵入する恐れがある等の問題があった。
【０００８】
また、前述の第３公知技術乃至第５公知技術に於いては、全体の構成が複雑であって、製造及び組立に手間を要しコスト高になる問題があった。かつ、これ等の技術に於いては、長年に亘って使用して開閉弁が劣化した場合には、簡単に交換することが困難である問題もあった。さらに、これ等の公知技術に於いては換気通路に防火対策がなされていないので、火災が発生した場合には、換気通路を通って火炎が小屋裏に簡単に侵入してしまう問題があった。
【０００９】
本発明に係る小屋裏の換気構造は、前述の従来の多くの問題点に鑑み開発された全く新しい発明であって、特に、換気通路を形成する起立面に所定形状の嵌合凹所を設け、この嵌合凹所を利用して不燃性体積膨張材或は開閉弁を、またはその両方を該起立面の所定位置に着脱自在に装着し、これによって不燃性体積膨張材或は開閉弁が劣化した際に簡単に交換することが出来、さらに、前記換気通路を通って火炎や雨水が小屋裏に侵入することを防止し得るようにした全く新しい技術を提供するものである。
【課題を解決するための手段】
【００１０】
前記目的を達成するための本発明に係る小屋裏の換気構造の第１の構成は、室外或は室内と小屋裏との間に両側が起立面によって囲まれた換気通路を形成した換気構造に於いて、前記換気通路の下部を室外或は室内側に開放すると共にその天井部に換気穴を設け、かつ前記起立面の所定位置に、入口開口部が狭く、それに続く奥部が広くなるように形成されたコ字状の嵌合凹所を設け、さらに前記換気通路内に風雨が侵入した際に該換気通路を閉鎖し得る開閉弁を、該開閉弁の底部が広くなるように形成された嵌入部を前記嵌合凹所の奥部に嵌入させ、着脱自在に装着して構成し、前記起立面の前記嵌合凹所の下方所定位置にくぼみを設け、前記嵌合凹所内に装着された前記開閉弁の作動部の先端部が前記くぼみの入口開口部の上方に位置し、前記換気通路に侵入した風が前記くぼみを通過して前記開閉弁の作動部に当たって該作動部を回動させて該作動部が前記換気通路の天井部に設けられた換気穴を閉鎖することを特徴とする。
【００１１】
また、本発明に係る小屋裏の換気構造の第２の構成は、前記第１の構成において、前記開閉弁が装着された前記起立面とは他方の前記起立面に嵌合凹所を設け、該嵌合凹所内に不燃性体積膨張材を装着したことを特徴とする。
【発明の効果】
【００１２】
本発明に係る小屋裏の換気構造の第１の構成によれば、換気通路の起立面所定位置に嵌合凹所を設け、かつこの嵌合凹所内に開閉弁を着脱自在に装着したので、台風等の強風時には、この開閉弁を自動的に回動して換気通路を閉鎖して、雨水が該換気通路を通って小屋裏に侵入することを防止出来る。さらに、該開閉弁が長年の使用によって劣化した場合には、古くなった開閉弁を除去して新しい開閉弁に簡単に交換することが出来る。
【００１３】
また、開閉弁が装着された嵌合凹所の下方所定位置にくぼみを設けたので、このくぼみの作用で開閉弁の羽根部に換気通路を通過する風を受け易くし、これによって開閉弁をスムーズに可動することが出来る。また、適正な風速で開閉弁を閉鎖するように設定する場合には、前記くぼみの形状及び寸法等を調整することによって実施出来る。
【００１４】
また、嵌合凹所に装着された開閉弁により換気通路の天井部に設けられた換気穴を閉鎖するように構成したので、強風時には開閉弁を作動させて換気穴を閉鎖して雨水が小屋裏に侵入することを防止出来る。また、換気通路の天井部と開閉弁との間に所定の空間を形成することが出来、仮に開閉弁を閉鎖した際に、開閉弁の先端縁と換気通路の天井部に微細な間隙が形成されて、この間隙より水漏れしても、前記空間内に水を受けることが出来るので、水が小屋裏へ侵入することを防止出来る。
【００１５】
本発明に係る小屋裏の換気構造の第２の構成によれば、開閉弁が装着された起立面とは他方の起立面に嵌合凹所を設け、該嵌合凹所内に不燃性体積膨張材を装着したので、火災時には不燃性体積膨張材を膨張させて火炎が換気通路を通過することを防止し、強風時には開閉弁によって換気通路を自動的に閉鎖して、雨水が小屋裏に侵入することを防止出来る。
【発明を実施するための最良の形態】
【００１６】
図により本発明に係る小屋裏の換気構造の一実施例を具体的に説明すると、図１は本発明に係る小屋裏の換気構造の要部を示す縦断面説明図、図２（ａ），（ｂ）は図１の換気金具の説明図、図３は換気通路の形成する場所の変更を示す断面説明図、図４も同様に換気通路の形成する場所の変更を示す断面説明図である。
【００１７】
図５は火災時に不燃性体積膨張材が膨張した状態の断面説明図、図６は台風時に開閉弁が換気通路を閉鎖した状態の断面説明図、図７は他例の開閉弁の構成を示す断面説明図、図８は不燃性体積膨張材の交換状態を示す説明図、図９は開閉弁の交換状態を示す説明図である。
【００１８】
図１及び図２（ａ）に於いて、１は本発明の防火換気構造に用いられる換気金物である。この換気金物１は１枚の鋼板、ステンレス板等の鋼板を冷間ロールフォーミング方式等によって折曲プレスすることによって全体が一体的に形成されている。
【００１９】
換気金物１のほぼ中央部には下部が開放された換気通路２が設けられている。この換気通路２の両側は起立面３，４によって形成され、かつ上部は多数のスリット穴５を有する天井面６によって形成されている。
【００２０】
該天井面６の片側方には水平取付片７が連設されている。かつ水平取付片７の所定位置には取付穴８が穿設されている。
【００２１】
前記換気通路２の下部両側には夫々天井見切り部９と壁見切り部10とが一体的に連設されている。前記天井見切り部９の先端縁には上方に折り曲げられて起立片11を形成しており、この起立片11と水平取付片７との間には軒天井板18の端部が挿入し得るように構成されている。また、壁見切り部10の先端縁には湾曲縁12が設けられている。
【００２２】
前記起立面３の所定位置には、ほぼコ字状の嵌合凹所13が設けられている。この嵌合凹所13は図に明らかな如く、その入口開口部が狭く、かつ奥部が広くなるように形成されている。Ａは該嵌合凹所13内に着脱自在に装着された不燃性体積膨張材である。この不燃性体積膨張材Ａは弾性体で形成されているので、前記入口開口部より奥部に向って押し込むことによって、接着剤や粘着テープ等を使用せずに、嵌合凹所13に簡単に装着することが出来る。
【００２３】
また、前記起立面３に対応する起立面４の上部は外方向に傾斜されており、かつこの傾斜面の所定位置には、ほぼコ字状の嵌合凹所14が形成されている。この嵌合凹所14も前記嵌合凹所13と同様に入口開口部が狭く、それに続く奥部が広くなるように形成されている。
【００２４】
この嵌合凹所14内には開閉弁15が装着されている。この開閉弁15は図に明らかな如く、前記嵌合凹所14に嵌入して着脱自在に装着し得る嵌入部15ａと、強風が当った際に作動する羽根状の作動部15ｂとより構成されている。
【００２５】
16はくぼみであって、前記起立面４の嵌合凹所14の下方所定位置に設けられている。従って嵌合凹所14内に装着された開閉弁15の作動部15ｂの先端部は、このくぼみ16の入口開口部の上方に位置し、強風が換気通路２に侵入した場合には、該くぼみ16を通過する風が開閉弁15の作動部15ｂに当たるので、この風力によって作動部15ｂを回動させ、この作動部15ｂで換気通路２を閉鎖し、風雨が小屋裏に侵入することを防止出来る。
【００２６】
前述の作動部15ｂは所定の弾性を有するヒンジ部15ｃを介して嵌入部15ａに一体的に連設されている。このヒンジ部15ｃの腰の強弱によって、作動部15ｂの作動を調整することが出来る。
【００２７】
また、前記くぼみ16は開閉弁15の作動部15ｂを起立面４より浮き上がらせて隙間を形成し、これによって該作動部15ｂが雨水等の表面張力によって作動が困難になることを防止したものである。従って、このくぼみ16は作動部15ｂの作動に大きく作用するので、くぼみ16の形状、寸法、設ける場所等によって作動部15ｂの作動を規制することが出来る。
【００２８】
前記換気金物１は、図１に示すように、建物の外壁17と軒天井板18との間に挿入されており、換気金物１の取付穴８に挿通されたネジ19を介して軒天井下地20に取付固定されている。従って、図１の実施例の場合には、換気通路２が建物の外壁17寄りに設けられている。
【００２９】
図中21は外壁17と建物躯体22との間に設けられた縦胴縁である。23は鼻隠し板、24は鼻隠し板下地、25は屋根である。
【００３０】
前記図１の実施例に於いては、換気通路２を建物の外壁17の近傍に設けて構成したが、図３に示す如く、換気通路２は鼻隠し板下地24の近傍に設けることも可能である。さらに、図４に示す如く、外壁17と鼻隠し板23のほぼ中間部に換気通路２を設けることも可能である。
【００３１】
前述の実施例に於いては、換気通路２の両側の起立面３，４に夫々嵌合凹所13，14を設け、かつ一方の嵌合凹所13には不燃性体積膨張材Ａを装着し、さらに他方の嵌合凹所14に開閉弁15を装着して構成したが、これ等の不燃性体積膨張材Ａと開閉弁15とは必ずしも併設する必要がなく、その一方のみを単独で実施することも当然可能である。また、前述の実施例に於いては、本発明を軒先に実施した具体例を説明したが、本発明の前述の第１発明は屋内の天井に構成して実施することも可能である。
【００３２】
本発明の構造に於いては、図５に示す如く、火災が発生して、熱風や火炎が換気通路２の中に侵入した場合には、不燃性体積膨張材Ａが直ちに発泡して膨張し、これによって不燃性体積膨張材Ａで換気通路２を完全に閉鎖し、熱風や火炎が換気通路２を通過して小屋裏に侵入すること防止することが出来る。
【００３３】
さらに、台風等で風圧が強くなり風雨が換気通路２内に侵入し始めると、今度は図６に示す如く、開閉弁15の作動部15ｂが作動し、この作動部15ｂが風力で回動して換気通路２を閉鎖し、これによって雨水が換気通路２を通って小屋裏内に侵入することが出来る。
【００３４】
また、開閉弁15と換気通路２との天井部との間には、所定の空間26が形成されるので、開閉弁15の先端縁と該天井部との接触面から水分が浸入した場合にも、これ等の水分は前記空間26内に水溜りとして残留させて小屋裏内に侵入することを防止出来る。前記空間26のスペースを大きくする場合には、例えば図７に示す如く、開閉弁15の作動部15ｂを先端部をＬ状に折り曲げて起立することによって、空間26を大きくすることが出来る。
【００３５】
本発明に於いて、換気通路２の起立面３の嵌合凹所13に装着された不燃性体積膨張材Ａが長年の使用によって劣化した場合には、図８に示す如く、古い不燃性体積膨張材Ａを斜めに回動しながら強制的に除去した後で、今度は新しい不燃性体積膨張材Ａを反対に斜めに回動しながら嵌合凹所13内に押込んで装着することが出来る。
【００３６】
次に、換気通路２の起立面４の嵌合凹所14に装着された開閉弁15が長年の使用により劣化した場合には、図９に示す如く、古くなった開閉弁15の嵌入部15ａを徐々に回動しながら嵌合凹所14より抜き取り、その後で新しい開閉弁15の嵌入部15ａを嵌合凹所14の中に嵌入すると共に、徐々に回動しながら深く挿入して装着することが出来る。
【産業上の利用可能性】
【００３７】
本発明の活用例として、小屋裏の換気構造に適用出来、特に火災時に室外或は室内と小屋裏との間に形成される換気通路を閉鎖して延焼を防止したり、或は強風時に該換気通路を塞いで風雨が小屋裏内に侵入することを防止可能とした簡単にかつ安価に構成出来る小屋裏の換気構造に適用出来る。
【図面の簡単な説明】
【００３８】
【図１】本発明に係る小屋裏の換気構造の要部を示す縦断面説明図である。
【図２】（ａ），（ｂ）は図１の換気金具の説明図である。
【図３】換気通路の形成する場所の変更を示す断面説明図である。
【図４】換気通路の形成する場所の変更を示す断面説明図である。
【図５】火災時に不燃性体積膨張材が膨張した状態の断面説明図である。
【図６】台風時に開閉弁が換気通路を閉鎖した状態の断面説明図である。
【図７】他例の開閉弁の構成を示す断面説明図である。
【図８】不燃性体積膨張材の交換状態を示す説明図である。
【図９】開閉弁の交換状態を示す説明図である。
【符号の説明】
【００３９】
１…換気金物
２…換気通路
３…起立面
４…起立面
５…スリット穴
６…天井面
７…水平取付片
８…取付穴
９…天井見切り部
10…壁見切り部
11…起立片
12…湾曲縁
13…嵌合凹所
14…嵌合凹所
15…開閉弁
15ａ…嵌入部
15ｂ…作動部
15ｃ…ヒンジ部
16…くぼみ
17…外壁
18…軒天井板
19…ネジ
20…軒天井下地
21…縦胴縁
22…建物躯体
23…鼻隠し板
24…鼻隠し板下地
25…屋根
26…空間
【図１】
0004478691.tif 000002
【図２】
0004478691.tif 000003
【図３】
0004478691.tif 000004
【図４】
0004478691.tif 000005
【図５】
0004478691.tif 000006
【図６】
0004478691.tif 000007
【図７】
0004478691.tif 000008
【図８】
0004478691.tif 000009
【図９】
0004478691.tif 000010